(57)【要約】【課題】蓋体のガタツキを防止することができるとともに、操作フィーリングが良好な収納装置を提供する。【解決手段】ボックス本体の開口１１に面する下側内壁面１３に摺動溝１４を設け、下側内壁面１３に対向して配置されるシャッター２０の下側端面２６に摺動片３０を突設し、この摺動片３０を摺動溝１４に摺動可能に嵌入し、摺動片３０を摺動溝１４に対して摺動させることによって開口１１をシャッター２０で開閉するコンソールボックスにおいて、シャッター２０の下側端面２６に、ボックス本体の下側内壁面１３との間に配置される突出部４０を設け、突出部４０を軟質樹脂で形成する。【選択図】図３
2008120317.tif 000002
【特許請求の範囲】
【請求項１】
収納容器の開口に面する内壁面に摺動溝を設け、前記内壁面に対向して配置される蓋体の端面に摺動片を突設し、この摺動片を前記摺動溝に摺動可能に嵌入し、前記摺動片を前記摺動溝に対して摺動させることによって前記開口を前記蓋体で開閉する収納装置において、
前記収納容器の前記内壁面と前記蓋体の前記端面との間に、緩衝部材が設けられていることを特徴とする収納装置。
【請求項２】
前記摺動片は、硬質樹脂からなる基材と、該基材を被覆する軟質樹脂からなる被覆材によって構成されていることを特徴とする請求項１に記載の収納装置。
【発明の詳細な説明】
【技術分野】
【０００１】
この発明は、収納装置に関するものである。
【背景技術】
【０００２】
収納装置には開口部をスライド式の蓋体によって開閉するものがある。この種の収納装置では、収納容器の開口部に沿って摺動溝を設け、蓋体の端部に軸部を突設し、この軸部を前記摺動溝に摺動自在に嵌入して構成されたものがある。
ところで、収納装置を車両等に設ける場合には、走行中などに収納装置に振動が加わるため、振動により蓋体がガタ付いて異音が発生しないように対策を講じる必要がある。
例えば、特許文献１では、蓋体の前記軸部を中空構造にし、該軸部を撓ませた状態で収納容器の前記摺動溝に嵌入し、軸部の撓みを利用して軸部の外面を摺動溝の壁面に圧接させることによりガタツキを防止している。
【特許文献１】特開２００３−９０１８６号公報
【発明の開示】
【発明が解決しようとする課題】
【０００３】
しかしながら、軸部の撓みを利用してガタツキを防止した前記収納装置では、変形させた軸部が摺動溝を摺動するため、蓋体を開閉する際のフィーリングが悪かった。
そこで、この発明は、蓋体のガタツキを防止することができるとともに、操作フィーリングが良好な収納装置を提供するものである。
【課題を解決するための手段】
【０００４】
この発明に係る収納装置では、上記課題を解決するために以下の手段を採用した。
請求項１に係る発明は、収納容器（例えば、後述する実施例におけるボックス本体２）の開口（例えば、後述する実施例における開口１１）に面する内壁面（例えば、後述する実施例における上側内壁面１２、下側内壁面１３）に摺動溝（例えば、後述する実施例における摺動溝１４）を設け、前記内壁面に対向して配置される蓋体（例えば、後述する実施例におけるシャッター２０）の端面（例えば、後述する実施例における上下端面２６）に摺動片（例えば、後述する実施例における摺動片３０）を突設し、この摺動片を前記摺動溝に摺動可能に嵌入し、前記摺動片を前記摺動溝に対して摺動させることによって前記開口を前記蓋体で開閉する収納装置（例えば、後述する実施例におけるコンソールボックス１）において、前記収納容器の前記内壁面と前記蓋体の前記端面との間に、緩衝部材（例えば、後述する実施例における突出部４０）が設けられていることを特徴とする。
このように構成することにより、蓋体の摺動片を収納容器の摺動溝において摺動することによって、蓋体をスムーズに開閉することができる。収納容器の開口に面する内壁面と、該内壁面に対向して配置される蓋体の端面との間に、緩衝部材が設けられているので、蓋体が収納容器に対して振動するのを防止することができる。収納容器の前記内壁面と蓋体の前記端面とが対向する方向の振動に対して特にその効果が大きい。
【０００５】
請求項２に係る発明は、請求項１に記載の発明において、前記摺動片は、硬質樹脂からなる基材（例えば、後述する実施例における軸部２８）と、該基材を被覆する軟質樹脂からなる被覆材（例えば、後述する実施例におけるリング部２９）によって構成されていることを特徴とする。
このように構成することにより、軟質樹脂からなる被覆材が収納容器の摺動溝に接触するので、蓋体の面方向に対して直交する方向のガタ付きを阻止することができる。また、硬質部材同士が接触するときに生じるビビリおよびビビリ音の発生を防止することができる。
【発明の効果】
【０００６】
請求項１に係る発明によれば、収納容器の開口に面する内壁面と、該内壁面に対向して配置される蓋体の端面との間に、緩衝部材が設けられているので、蓋体が収納容器に対して振動するのを防止することができ、その結果、蓋体のガタツキ、異音発生を防止することができる。
請求項２に係る発明によれば、蓋体の面方向に対して直交する方向のガタ付きを阻止することができ、ガタ付きに起因する異音発生を防止することができる。また、硬質部材同士が接触するときに生じるビビリおよびビビリ音の発生を防止することができる。
【発明を実施するための最良の形態】
【０００７】
以下、この発明に係る収納装置の実施例を図１から図７の図面を参照して説明する。なお、この実施例における収納装置は、車両の運転席と助手席の間に設置されたコンソールボックスの態様である。また、以下の説明においては、特に断らない限り、「前後方向」は車体の前後方向に一致し、「左右方向」は車幅方向に一致し、「上下方向」は車体の上下方向に一致する。
【０００８】
図１および図２に示すように、収納装置としてのコンソールボックス１は、ボックス本体（収納容器）２の内部が収納空間３になっていて、ボックス本体２の両側部には、収納空間３に連なる開口１１が形成されるとともに、各開口１１を開閉するシャッター（蓋体）２０が取り付けられている。
【０００９】
詳述すると、ボックス本体２の両側部４には、前後方向に長い長方形の開口１１を有する硬質樹脂製のガイドフレーム１０が固定されている。ガイドフレーム１０およびシャッター２０は運転席側のものも助手席側のものも基本的構成は同じであるので、以下の説明では運転席側のガイドフレーム１０およびシャッター２０について説明する。
ガイドフレーム１０において、開口１１に面する上側内壁面１２と下側内壁面１３には、所定幅および所定深さの摺動溝１４が前後方向に延びている。
【００１０】
シャッター２０は、ガイドフレーム１０の上側内壁面１２と下側内壁面１３との間に配置され、前後方向に移動自在に取り付けられている。
図４に示すように、シャッター２０の前端部には、前後方向に所定幅の剛体部２１が形成されている。剛体部２１は屈曲不能であり、車室に面する側（すなわち、車室に露出する側）の中央に指掛け部２２が凹設されている。
【００１１】
そして、シャッター２０は、剛体部２１の後端に、屈曲可能な可撓部２３が連なって構成されている。図６および図７に示すように、可撓部２３は、上下方向に細長い断面台形状の厚肉部２４と、屈曲可能な薄肉部２５が交互に多数連設されて構成されており、隣接する厚肉部２４の長辺側端部同士が薄肉部２５によって接続されている。厚肉部２４の短辺側（以下、山部という）２４ａは収納空間３に面する側に配置され、厚肉部２４の長辺側（以下、麓部という）２４ｂおよび薄肉部２５は車室に面する側に配置されている。
【００１２】
なお、図示を省略するが、このコンソールボックス１では、開口１１を開けるためにシャッター２０を後方へ引いたときに、可撓部２３が開口１１よりも後方におけるボックス本体２内において円弧状に巻き取られるようになっており、そのため可撓部２３が屈曲可能にされている。
【００１３】
また、シャッター２０は、硬さを異にする二種類の樹脂を原材料として、ダブルインジェクション製法によって製造されており、収納空間３に面する側が硬質樹脂（例えばＡＢＳ）からなる硬質樹脂層５１とされ、車室に面する側が軟質樹脂（例えばＴＰＥ）からなる軟質樹脂層５２とされている。
つまり、厚肉部２４の山部２４ａは硬質樹脂層５１で形成され、厚肉部２４の麓部２４ｂおよび薄肉部２５は軟質樹脂層５２で形成されている。
【００１４】
また、可撓部２３の上側端面および下側端面（図６および図７では上側端面のみ示し、特に区別する必要のない場合は上下端面と称す）２６では、そのほぼ全域において硬質樹脂層５１が軟質樹脂層５２により被覆されており、厚肉部２４における山部２４ａ側の一部において硬質樹脂層５１が露出している。
【００１５】
上下端面２６における厚肉部２４の山部２４ａ側過半からは、硬質樹脂層５１を上下方向に突出させてなる円筒状の軸部（基材）２８が設けられ、さらに、この軸部２８の基部（上下端面２６に近い部分）を包囲するリング部（被覆材）２９が、上下端面２６を被覆する軟質樹脂層５２に連続して一体に形成されている。つまり、硬質樹脂層５１からなる軸部２８の基部が軟質樹脂層５２からなるリング部２９によって被覆されている。この軸部２８とリング部２９によって摺動片３０が構成される。
【００１６】
そして、図３に示すように、可撓部２３の下側端面２６に設けられた摺動片３０は、前述したガイドフレーム１０の下側内壁面１３に設けられた摺動溝１４に嵌入され、リング部２９の外周面を摺動溝１４における左右の内壁面に接触させて摺動可能にされている。可撓部２３の上側端面に設けられた摺動片３０も同様に、ガイドフレーム１０の上側内壁面１２に設けられた摺動溝１４に嵌入され、リング部２９の外周面を摺動溝１４における左右の内壁面に接触させて摺動可能にされている。なお、シャッター２０をガイドフレーム１０に取り付けた状態において、軸部２８の先端と摺動溝１４の底部との間に所定寸法の隙間が生じるように、各部の寸法設定がされている。
【００１７】
なお、詳細説明は省略するが、剛体部２１における上下端面の前端部と後端部にもそれぞれ、可撓部２３の摺動片３０と同一構成の摺動片３０が設けられおり、剛体部２１の摺動片３０もガイドフレーム１０の上側内壁面１２および下側内壁面１３の摺動溝１４に摺動可能に嵌入されている（図４参照）。
【００１８】
さらに、図４〜図７に示すように、可撓部２３の上下端面２６には、所定のピッチで、厚肉部２４における麓部２４ｂ側に、内部が刳り抜かれて略円弧状（ブリッジ形状）をなし上下方向に突出する突出部（緩衝部材）４０が形成されている。突出部４０は軟質樹脂層５２によって形成されており、可撓部２３の上下端面２６および摺動片３０のリング部２９に連続し一体に形成されている。
【００１９】
そして、図３に示すように、可撓部２３の下側端面２６に設けられた突出部４０はその先端をガイドフレーム１０の下側内壁面１３において摺動溝１４より外側の面に当接させている。可撓部２３の上側端面に設けられた突出部４０も同様に、その先端をガイドフレーム１０の上側内壁面１２において摺動溝１４より外側の面に当接させている。つまり、可撓部２３は、上側端面の突出部４０をガイドフレーム１０の上側内壁面１２に当接させるとともに、下側端面２６の突出部４０をガイドフレーム１０の下側内壁面１３に当接させることによって、ガイドフレーム１０に対する上下方向移動を抑制している。
【００２０】
なお、詳細説明は省略するが、剛体部２１における上下端面の後端部にもそれぞれ、可撓部２３の突出部４０と同一構成の突出部４０が設けられおり、剛体部２１の突出部４０もガイドフレーム１０の上側内壁面１２および下側内壁面１３に当接させている（図４参照）。これにより剛体部２１のガイドフレーム１０に対する上下方向移動を抑制している。
【００２１】
このように構成されたコンソールボックス１によれば、シャッター２０は収納空間３側に硬質樹脂層５１を備えているので保形性に優れ、少々の力が加わっても変形することがなく、ガイドフレーム１０から外れるなどすることがない。また、シャッター２０は車室に面する側が軟質樹脂層５２で被覆されているので、乗員がシャッター２０に接触したときにソフト感があり、感触が良くて商品性が向上する。
【００２２】
また、可撓部２３においては上下端面２６の突出部４０をガイドフレーム１０の上側内壁面１２および下側内壁面１３に当接させているので、車体が上下方向に振動しても振動が弱い間は、可撓部２３がガイドフレーム１０に対して上下動するのを阻止することができる。また、車体の上下方向の振動が強くなったときには、突出部４０が軟質樹脂層５２で形成され且つ中空の円弧状（ブリッジ形状）をなしているので突出部４０が撓み、この突出部４０が撓むことによって振動を吸収することができるので、車体の上下振動時における可撓部２３のガタ付き、および異音発生を防止することができる。
【００２３】
剛体部２１に設けた突出部４０も可撓部２３の突出部４０と同様に機能し、車体の上下振動時における剛体部２１のガタ付き、および異音発生を防止することができる。
【００２４】
また、可撓部２３において、摺動片３０のリング部２９の外周面が、ガイドフレーム１０の摺動溝１４における左右の内壁面に接触しているので、車体が左右方向に振動しても、可撓部２３がガイドフレーム１０に対して左右方向に振動するのを阻止することができる。その結果、車体の左右振動時における可撓部２３のガタ付き、および異音発生を防止することができる。
【００２５】
また、摺動片３０のリング部２９の外周面が、ガイドフレーム１０の摺動溝１４における左右の内壁面に接触しているので、シャッター２０を開閉動作する際にも、可撓部２３が左右方向にガタ付くことがなく、ガタ付きに起因する衝突音も生じない。
しかも、硬質樹脂製のガイドフレーム１０の摺動溝１４に接触するリング部２９は軟質樹脂層５２で形成されているので、シャッター２０の開閉動作の際の摺動感が柔らかで、硬質な部材同士を接触させたときに生じるビビリおよびおよびビビリ音も発生しない。それでいながら、摺動片２３はリング部２９の内部に硬質樹脂層５１で形成された軸部２８を備えているので、摺動片２３は操作フィーリングを悪化させないだけの剛性を備えており、これによりシャッター２０の開閉時の操作フィーリングが極めて良くなる。
【００２６】
剛体部２１に設けた摺動片３０も可撓部２３の摺動片３０と同様に機能し、剛体部２１の振動、ガタ付き、異音発生を防止することができ、シャッター２０の開閉時の操作フィーリングを向上させることができる。
【００２７】
〔他の実施例〕
なお、この発明は前述した実施例に限られるものではない。
例えば、前述した実施例では緩衝部材を蓋体に一体に設けたが、緩衝部材は、収納容器の開口に面する内壁面と、該内壁面に対向して配置される蓋体の端面との間に配置されていればよく、例えば、緩衝部材を収納容器の前記内壁面に設けてもよいし、あるいは、緩衝部材を別部品として形成し、収納容器の前記内壁面あるいは蓋体の前記端面に接合してもよい。また、緩衝部材の形状も前述した実施例のものに限定されず、種々の形状が採用可能である。
【００２８】
実施例の蓋体は屈曲可能であるが、必ずしも屈曲可能である必要はなく、硬質板状の蓋体でも構わない。
また、実施例の蓋体は鉛直姿勢に配置されているが、蓋体は水平姿勢あるいは傾斜姿勢など、いかなる姿勢に配置してもよい。
実施例の収納装置はコンソールボックスとしているが、この発明は、コンソールボックスに限るものではなく、車両のインストルメントパネルの下方に設置されるグローブボックスなど、車両の他の部位に設けられる収納装置、あるいは車両以外に設置される収納装置にも適用可能である。また、収納容器が例えばスイッチ類等を固定状態に収納する凹部であり、この凹部の開口を開閉する蓋体の閉時に蓋体で前記スイッチ類等を隠すように使用する収納装置であってもよい。
【図面の簡単な説明】
【００２９】
【図１】この発明に係る収納装置の一実施例であるコンソールボックスの外観斜視図である。
【図２】図１Ａ−Ａ断面図である。
【図３】前記のコンソールボックスにおける要部を拡大して示す断面図である。
【図４】前記のコンソールボックスにおけるガイドフレームとシャッターの外観斜視図である。
【図５】前記のコンソールボックスにおけるガイドフレームとシャッターの一部を拡大して示す斜視図である。
【図６】前記シャッターの一部を一方の面（車室側）から見た斜視図である。
【図７】前記シャッターの一部を他方の面（コンソールボックスの内側）から見た斜視図である。
【符号の説明】
【００３０】
１  コンソールボックス（収納装置）
２  ボックス本体（収納容器）
１１  開口
１２  上側内壁面（内壁面）
１３  下側内壁面（内壁面）
１４  摺動溝
２０  シャッター（蓋体）
２６  上下端面（端面）
２８  軸部（基材）
２９  リング部（被覆材）
３０  摺動片
４０  突出部（緩衝部材）
５１  硬質樹脂層（硬質樹脂）
５２  軟質樹脂層（軟質樹脂）
【図１】
2008120317.tif 000003
【図２】
2008120317.tif 000004
【図３】
2008120317.tif 000005
【図４】
2008120317.tif 000006
【図５】
2008120317.tif 000007
【図６】
2008120317.tif 000008
【図７】
2008120317.tif 000009